(57)【特許請求の範囲】
【請求項１】
一体型衣類ケア洗濯機の制御方法であって、
前記一体型衣類ケア洗濯機は、ハウジングと、前記ハウジング内に設けられている乾燥システムと蒸気発生システムと洗濯システムと、を備え、前記蒸気発生システムによって発生された水蒸気はパイプラインを介して前記乾燥システム及び／又は前記洗濯システムに搬送され、前記制御方法は、以下のステップを含み、
Ｓ１は凝縮水収集ステージであり、前記乾燥システムを作動させ、衣類乾燥筒における熱空気が凝縮器を通ることによって生成された水は給水パイプラインを介して水タンクに搬送され、
Ｓ２は蒸気発生ステージであり、前記蒸気発生システムの加熱芯を作動させ、水蒸気を発生させ、蒸気パイプラインに搬送し、
Ｓ３は蒸気ケアステージであり、前記蒸気パイプラインによって水蒸気を前記乾燥システムに、又は水蒸気を前記洗濯システムに、又は同時に水蒸気を前記乾燥システムと前記洗濯システムに搬送し、
前記凝縮水収集ステージは、前記乾燥システムの温度検出ステップをさらに含み、乾燥プログラムをオンにした後、前記乾燥システムの筒内の温度が４０℃未満であるとき、前記給水パイプラインが水を前記乾燥システムの排水管に誘導し、前記乾燥システムの筒内の温度が４０℃以上であるとき、前記給水パイプラインが凝縮水を前記水タンクに誘導する、
ことを特徴とする一体型衣類ケア洗濯機の制御方法。
【請求項２】
前記乾燥システムの時間検出ステップをさらに含み、前記乾燥システムの加熱システムは設定時間で運行しているとき、前記給水パイプラインは水を前記乾燥システムの排水管のみに誘導できることを特徴とする請求項１に記載の一体型衣類ケア洗濯機の制御方法。
【請求項３】
前記設定時間は、前記乾燥システムの運行の残り時間が３０分間である時間ノードであることを特徴とする請求項２に記載の一体型衣類ケア洗濯機の制御方法。
【請求項４】
前記水タンクの水位は水位センサによって検出され、前記給水パイプラインを制御し、又は前記水タンクに給水し、又は水を前記乾燥システムの排水管に誘導することを特徴とする請求項１又は２に記載の一体型衣類ケア洗濯機の制御方法。
【請求項５】
補給水ステップをさらに含み、前記水タンクの水位が設定水位以下のとき、補給水を起動し、即ち、前記給水パイプラインに一方向弁を有する補給水パイプラインが追加設置され、前記補給水パイプラインの一端は蛇口に接続され、他端は前記水タンクに接続されることを特徴とする請求項４に記載の一体型衣類ケア洗濯機の制御方法。
【請求項６】
前記一体型衣類ケア洗濯機の中部に設置された前記蒸気発生システムは、前記乾燥システムの凝縮器と前記水タンクと前記乾燥システムの排水管とを接続する給水パイプラインと、少なくともそれぞれ一つの入口と一つの出口を有し、前記入口が前記給水パイプラインに接続され、前記出口が前記蒸気パイプラインに接続され、単独のチャンパー又は水タンクである加熱室と、凝縮水を加熱して水蒸気にするため加熱室に配置される加熱コアと、前記乾燥システム及び／又は前記洗濯システムに水蒸気を誘導して分配する蒸気パイプラインと、を備えることを特徴とする請求項１に記載の一体型衣類ケア洗濯機の制御方法。
【請求項７】
前記蒸気パイプラインに二つの一方向弁又は一つの三方弁が設けられ、二つの前記一方向弁又は一つの前記三方弁の入口はパイプラインを介して前記水タンクに接続され、二つの前記一方向弁又は一つの前記三方弁の二つの出口はパイプラインを介して水蒸気を前記乾燥システムに、又は水蒸気を前記洗濯システムに、又は同時に水蒸気を前記乾燥システム及び前記洗濯システムに搬送することを特徴とする請求項６に記載の一体型衣類ケア洗濯機の制御方法。
【請求項８】
前記蒸気パイプラインに三方弁が設置され、前記三方弁の入口はパイプラインを介して前記加熱室に接続され、前記三方弁の出口Ａのみが動作するとき、水蒸気を前記乾燥システムに搬送し、又は前記三方弁の出口Ｂのみが動作するとき、水蒸気を前記洗濯システムに搬送し、又は前記三方弁の出口Ａと前記三方弁の出口Ｂが同時に動作するとき、同時に水蒸気を前記乾燥システムと前記洗濯システムに搬送し、
前記給水パイプラインに一方向弁が二つ設置され、水弁Ａはパイプラインを介して凝縮水を前記水タンクに搬送し、水弁Ｂはパイプラインを介して前記乾燥システムの排水管に接続されることを特徴とする請求項７に記載の一体型衣類ケア洗濯機の制御方法。
【発明の詳細な説明】
【技術分野】
【０００１】
本発明は、洗濯及びその乾燥の技術分野に属し、具体的に一体型衣類ケア洗濯機の制御方法に関する。
【背景技術】
【０００２】
洗濯機は、日常生活の必需品であり、洗濯機は、人々の生活において洗濯に使用される非常に重要なプロの電気製品であり、人々の日常生活に速やかに、清潔な洗濯物を提供する。
【０００３】
技術の進歩に伴って、洗濯乾燥一体機は、衣類の洗濯、乾燥の基本的な機能を満たすことに加えて、衣類ケアが徐々に消費者の新たな需要となっている。衣類の異臭除去のニーズも消費者にますます注目され、例えば、季節が変わる際のかび臭さ、社交場の酒やタバコの匂い、鍋料理を食べた後の臭いなども直ちに除去する必要性があり、清潔な服であれば再度洗濯すると、時間がかかり、衣類の摩耗を加速する。一体型衣類ケア洗濯機の水蒸気乾燥機能を利用すれば簡単に衣類の臭い除去を達成することができる。
【０００４】
現在、洗濯乾燥一体機は洗濯後の衣類に対してケアを行う機械も広く応用され、洗濯後の干し、ケアなどの作業を省略し、干すのに必要な占有スペースが省かれる。従来の洗濯乾燥一体機では、乾燥加熱管を用いて加熱して筒に熱風を吹き付け、空気中の水蒸気を加えずに衣類にケアを行う。
【発明の概要】
【発明が解決しようとする課題】
【０００５】
従来の脱臭の技術は、主にマイナスイオン又はオゾンを利用し、紫外線照射などの技術によって滅菌や脱臭の目的を達成するが、マイナスイオン、オゾン、紫外線などは環境に影響があり、敏感な人々の身体に不快感を引き起こすなどの欠点がある。
【課題を解決するための手段】
【０００６】
本発明は、従来技術における上記の問題に対して、一体型衣類ケア洗濯機の上部筒と下部筒と共に、水蒸気を使用して衣類ケア、脱臭を行う技術であり、消臭媒体には水蒸気が使用されている。
【０００７】
上記の技術的目的を達成するために、本発明は、次の技術的解決手段を用いて実現する。
【０００８】
一体型衣類ケア洗濯機の制御方法であって、一体型衣類ケア洗濯機は、ハウジングと、ハウジング内に設けられている乾燥システムと蒸気発生システムと洗濯システムと、を備え、蒸気発生システムによって発生された水蒸気はパイプラインを介して乾燥システム及び／又は洗濯システムに搬送され、その制御方法は、以下のステップを含み、Ｓ１は凝縮水収集ステージであり、前記乾燥システムを作動させ、衣類乾燥筒における熱空気が凝縮器を通ることによって生成された水は給水パイプラインを介して水タンクに搬送される；Ｓ２は蒸気発生ステージであり、蒸気発生システムの加熱芯を作動させ、水蒸気を発生させ、蒸気パイプラインに搬送する；Ｓ３は蒸気ケアステージであり、前記蒸気パイプラインによって水蒸気を前記乾燥システムに、又は水蒸気を前記洗濯システムに、又は同時に水蒸気を前記乾燥システムと前記洗濯システムに搬送する。
【０００９】
前記凝縮水収集ステージは、乾燥システムの温度検出ステップをさらに含み、乾燥プログラムをオンにした後、前記乾燥システムの筒内の温度が４０℃未満であるとき、前記給水パイプラインが水を前記乾燥システムの排水管に誘導し、前記乾燥システムの筒内の温度が４０℃以上であるとき、前記給水パイプラインが凝縮水を前記水タンクに誘導する。
【００１０】
さらに、乾燥システムの時間検出ステップをさらに含み、乾燥システムの加熱システムが加熱を停止する前の３０分である場合、即ち、乾燥システムの運行の残り時間が３０分間であるとき、前記給水パイプラインは、水を前記乾燥システムの排水管のみに誘導でき、凝縮水を収集しない。
【００１１】
前記水タンクの水位は水位センサによって検出され、よって、前記給水パイプラインを制御し、又は前記水タンクに給水し、又は水を前記乾燥システムの排水管に誘導する。
【００１２】
さらに、補給水ステップをさらに含み、前記水タンクの水位が設定水位以下のとき、補給水を起動し、即ち、給水パイプラインに一方向弁を有する補給水パイプラインが追加設置され、補給水パイプラインの一端は蛇口に接続され、他端は前記水タンクに接続される。
【００１３】
前記一体型衣類ケア洗濯機の中部に設置された前記蒸気発生システムは、前記乾燥システムの凝縮器と水タンクと前記乾燥システムの排水管とを接続する給水パイプラインと、少なくともそれぞれ一つの入口と一つの出口を有し、前記入口が給水パイプラインに接続され、出口が蒸気パイプラインに接続され、単独のチャンパー又は水タンクである加熱室と、凝縮水を加熱して水蒸気にするため加熱室に配置される加熱コアと、水蒸気を前記乾燥システム及び/又は前記洗濯システムに誘導して分配する蒸気パイプラインと、を備える。
【００１４】
前記蒸気パイプラインに二つの一方向弁又は一つの三方弁が設けられ、二つの一方向弁又は一つの三方弁の入口はパイプラインを介して前記水タンクに接続され、二つの一方向弁又は一つの三方弁の二つの出口はパイプラインを介して水蒸気を前記乾燥システムに、又は水蒸気を前記洗濯システム、又は同時に水蒸気を前記乾燥システム及び前記洗濯システムに搬送する。
【００１５】
前記蒸気パイプラインに二つの一方向弁又は一つの三方弁が設けられ、二つの一方向弁又は一つの三方弁の入口は前記凝縮器に接続され、二つの一方向弁又は一つの三方弁の二つの出口はパイプラインを介して水蒸気を前記乾燥システムに、又は水蒸気を前記洗濯システムに、又は同時に水蒸気を前記乾燥システム及び前記洗濯システムに搬送する。
【００１６】
前記蒸気パイプラインに三方弁が設置され、前記三方弁の入口はパイプラインを介して加熱室に接続され、三方弁出口Ａのみが動作するとき、水蒸気を前記乾燥システムに搬送し、又は三方弁の出口Ｂのみが動作するとき、水蒸気を前記洗濯システムに搬送し、又は三方弁の出口Ａと三方弁の出口Ｂが同時に動作するとき、同時に水蒸気を前記乾燥システムと前記洗濯システムに搬送する。
【００１７】
前記給水パイプラインに一方向弁が二つ設置され、水弁Ａはパイプラインを介して凝縮水を前記水タンクに搬送し、水弁Ｂはパイプラインを介して前記乾燥システムの排水管に接続される。
【発明の効果】
【００１８】
本発明は、一体型衣類ケア洗濯機の制御方法を提供し、乾燥機の乾燥行程によって生成された凝縮水を再利用することができる。乾燥システムと洗濯システムとは単独又は同時に蒸気発生システムが生成した水蒸気によって衣類ケアを行う。乾燥システムの作動行程における凝縮水は洗濯システムを介して排出される。
【図面の簡単な説明】
【００１９】
【図１】本発明に係る一体型衣類ケア洗濯機の最適実施形態の構造の概略図である。
【図２】図１中の蒸気発生システムの拡大概略図である。
【図３】蒸気発生システムの第２実施形態である。
【図４】蒸気発生システムの第３実施形態である。
【図５】蒸気発生システムの第４実施形態である。
【図６】本発明に係る補給水パイプライン付きの一体型衣類ケア洗濯機の構造の概略図である。
【図７】本発明に係る一体型衣類ケア洗濯機の他の実施形態の構造の概略図である。
【発明を実施するための形態】
【００２０】
本発明の好ましい実施形態
【００２１】
本発明の実施形態の目的、技術的解決手段及び利点をより明確するために、次に本発明の実施形態の図面を併せて本発明の実施形態の技術的解決手段を明白に、詳細に説明する。
【００２２】
本発明の記載では、言及すべきなのは、用語「上」、「下」、「左」、「右」などを示す方向や位置関係は、一体型衣類ケア洗濯機を通常使用するとき、ユーザに対して、本発明の説明を容易、かつ簡便にするのに用いるが、装置や部品が必ず特定方向となることや、特定構成及び操作を表示や暗示することではない。従って、本発明を限定するものと解釈されない。また、用語「第１」、「第２」は、単に説明目的のためであり、相対的な重要度を表示又は暗示することではない。
【００２３】
図１に示すように、本発明に係る一体型衣類ケア洗濯機の制御方法一最適実施形態である。
【００２４】
本発明に係る一体型衣類ケア洗濯機の制御方法では、一体型衣類ケア洗濯機は、ハウジングと、乾燥システムと、蒸気発生システムと、洗濯システムと、コンピュータプログラム制御器と、を備え、蒸気発生システムは、前記乾燥システムの給水パイプラインに接続され、単独のチャンパー又は水タンクである加熱室と、加熱室に配置される加熱コア及び水位センサと、乾燥システム及び／又は洗濯システムに接続された蒸気パイプラインと、を備える。その制御方法は、以下のステップを含み、Ｓ１は凝縮水収集ステージであり、乾燥システムを作動させ、衣類乾燥筒における熱空気が凝縮器を通ることによって生成された水は給水パイプラインを介して前記水タンクに搬送される；Ｓ２は蒸気発生ステージであり、前記蒸気発生システムの加熱芯を作動させ、水蒸気を発生させ、蒸気パイプラインに搬送する；Ｓ３は蒸気ケアステージであり、前記蒸気パイプラインによって水蒸気を前記乾燥システムに、又は水蒸気を前記洗濯システム、又は同時に水蒸気を前記乾燥システムと前記洗濯システムに搬送する。
【００２５】
さらに、コンピュータプログラム制御器５によって凝縮水を収集する時間が制御され、加熱開始のとき、一方向弁A２３が閉鎖され、一方向弁B２４が解放され、発生された凝縮水が乾燥システムの排水管を介して洗濯システムの排水管に流して排出される。コンピュータプログラム制御器は乾燥機ドラムの温度が４０℃に達することを検出した場合、一方向弁Ａ２３が開放され、一方向弁Ｂ２４が閉鎖され、そのとき、凝縮水が蒸気発生システムの水タンク１１に流され、コンピュータプログラム制御器はタンク水位センサによってタンク水位が設定水位に達したことが検出されると、一方向弁Ａ２３が再び閉鎖され、一方向弁Ｂ２４が開放される。前乾燥行程の最後段階に発生する小さな毛羽がパイプラインに付着するため、初期に乾燥機から排出された水は収集しない。初期の凝縮水はパイプラインを洗浄して機外に排出することができる。乾燥行程の中間段階の水を収集し、例えば実施形態では、乾燥ドラム中の温度が４０℃に到達すると、この行程は、大量の水を発生し、パイプラインは初期洗浄を経てからよりきれいになる。
【００２６】
また、コンピュータプログラム制御器が時間検出機能を有し、検出プログラムは乾燥行程が運行して残り時間が３０分間であるとき、その後の乾燥行程は、衣類がもうすぐ乾燥、及び乾燥して降温冷却の段階であり、この段階では凝縮水が少なく、衣類が乾燥してふわふわとなり、毛羽が布から容易に脱落するため、この段階の水は収集せず、毛羽が水タンクに流れることを低減することができ、収集した水はきれいであることを確保する。したがって、残り時間が３０分間である条件に合致する場合、水タンクの水位が設定水位に達しているか否かにもかかわらず、コンピュータプログラム制御器は一方向弁Ａ２３を閉鎖し、一方向弁Ｂ２４を開放し、凝縮水の収集を停止することを指示する。
【００２７】
本発明に係る制御方法の一体型衣類ケア洗濯機は、ハウジング１と、前記ハウジング中に配置された乾燥システム２と、蒸気発生システム３と、洗濯システム４と、コンピュータプログラム制御器５と、を備える。
【００２８】
乾燥システム２は、凝縮器１７と、送風機１８と、風ダクト１９と、加熱線２０と、乾燥ドラム２１と、乾燥システム排水管２２と、を備える。乾燥システム２を作動させるとき、乾燥ドラム２１を回転させ、加熱線２０を作動させ、発生された乾燥熱風は、送風機１８の作用の下で、後方から乾燥ドラム２１に進入し、乾燥熱風は水分を吸収して高温多湿の空気となり、高温多湿の空気を凝縮器１７に通って、凝縮水を給水パイプライン１４によって収集され、乾燥した空気は風ダクト１９、加熱線２０を介して乾燥ドラム２１に進入する。洗濯物を乾燥させるまでこのようなサイクルで行う。本発明に係る一体型衣類ケア洗濯機では、乾燥システム２の後部に乾燥蒸気パイプライン１５１を追加した。
【００２９】
洗濯システム４は、外筒６と、内筒７と、モータ８と、排水弁９と、洗濯システム排水管１０と、を備える。洗濯システム４を作動させるとき、内筒７がモータ８の駆動によって回転され、洗濯物を持ち上げたり、下げたりし、衣類を洗濯する。洗濯が完了した後、洗浄水は洗濯システム排水管１０、排水弁９を介して機外に排出される。本発明に係る一体型衣類ケア洗濯機では、洗濯洗浄システムの前部に洗濯蒸気パイプライン１５２を追加した。
【００３０】
ハウジング１の中部に位置する蒸気発生システム３は、水タンク１１と、加熱室１２と、加熱コア１２１と、水位センサ１３と、給水パイプライン１４と、蒸気パイプライン１５と、蒸気パイプライン１５に取り付けられた三方弁１６と、給水パイプライン１４に取り付けられた一方向弁Ａ２３及び一方向弁Ｂ２４と、を備える。具体的には、給水パイプライン１４の入口端は凝縮器１７に接続され、他端が二つの経路に分けられ、一経路は一方向弁Ａ２３と、水タンク１１と順次に接続され、他経路は一方向弁Ｂ２４と、乾燥システム排水管２２と順次に接続される。蒸気パイプライン１５に三方弁１６が取り付けられ、三方弁のＡ出口１６１は乾燥蒸気パイプライン１５１を介して水蒸気を乾燥システム２に搬送し、三方弁のＢ出口１６２は洗濯蒸気パイプライン１５２を介して水蒸気を洗濯システムに搬送する。水タンク１１に水位センサ１３が設置され、水位が設定値に達していないことを検出したときに、一方向弁Ａ２３が開放され、一方向弁Ｂ２４が閉鎖され、凝縮水が水タンクに収集され、水位が設定値に達したときに、一方向弁Ａ２３が閉鎖されると共に、一方向弁Ｂ２４が開放され、凝縮器で発生された凝縮水が直接機外に排出される。
【００３１】
本発明に係る前記一体型衣類ケア洗濯機の三方弁のＡ出口、Ｂ出口は単独に動作してもよく、同時に動作してもよい。蒸気発生システム２が発生された水蒸気は下記のことを達成し、第１の経路は水蒸気がパイプラインを介して乾燥システムのドラムに進入して衣類のケアを行い、ケア行程で発生された凝縮水は乾燥排水管を介して直接排出される。第２の経路は水蒸気がパイプラインを介して洗濯システムのドラムに進入して衣類ケアを行い、ケア行程で発生された凝縮水は排水システムを介して直接排出される。第３の経路は三方弁の制御によって、水蒸気が同時に乾燥ドラムと洗濯ドラムに進入して、各ドラムの衣類ケアを行う。
【００３２】
図２〜図５に示すように、蒸気発生システム２の給水パイプラインと蒸気パイプラインにおける弁体の設計を示す。三方弁と、一方向弁との互いに組み合わせを用いてもよく、二組の経路に同じく二つの一方向弁を用いて、又は同じく一つの三方弁を用いてもよい。その分流の経路は上記と同じであり、具体的にどちらの形態を用いるかは一体型衣類ケア洗濯機の内部空間の位置によって決められ、ここでは詳細な説明は省略する。
【００３３】
図６に示すように、消費者の個々のニーズを満たすために、消費者がケア機能を使用する頻度が高い場合、水タンク１１に貯蔵された水が十分ではないときに、消費者が水蒸気を使用して衣類ケアを行う必要がある場合、補給水パイプライン２５を介して水タンク１１に水を加え、水が切れた状態での加熱コアの損傷を防ぐだけでなく、衣類ケアを行うことを達成するために必要な水蒸気を十分に発生させる。
【００３４】
図７に示すように、本発明に係る一体型衣類ケア洗濯機の他の実施形態を示す。水タンク１１と、加熱室１２とは洗濯機本体の上部位置に取り付けられ、ポンプ２６を一つ追加に装着して、収集された凝縮水がポンプ用水パイプライン２７を介して水タンク１１内に引き込まれる。
【００３５】
以上に説明したのは、本発明の好ましい実施形態であり、本発明を他の形式で制限するものではなく、当業者は上記に開示の技術的内容と同等の変化である等価の実施形態を変更または変形することができる。本発明の技術的解決手段内容から逸脱せず、本発明の実質的技術に基づいて上記の実施形態を如何に簡単に修正、同等の変化と変形は、依然として本発明の技術的解決手段の保護範囲に属する。
【符号の説明】
【００３６】
１      ハウジング
２      乾燥システム
３      蒸気発生システム
４      洗濯システム
５      コンピュータプログラム制御器
６      外筒
７      内筒
８      モータ
９      排水弁
１０    洗濯ステム排水管
１１    水タンク
１２    加熱室
１２１  加熱コア
１３    水位センサ
１４    給水パイプライン
１５    蒸気パイプライン
１５１  乾燥蒸気パイプライン
１５２  洗濯蒸気パイプライン
１６    三方弁
１６１  三方弁Ａ出口
１６２  三方弁Ｂ出口
１７    水タンクコンデンサ
１８    ファン
１９    空気通路
２０    加熱線
２１    乾燥ドラム
２２    乾燥システム排水管
２３    一方向弁Ａ
２４    一方向弁Ｂ
２５    補給水パイプライン
２６    ポンプ
２７    ポンプ用水パイプライン
【図１】
0006936947.tif 000002
【図２】
0006936947.tif 000003
【図３】
0006936947.tif 000004
【図４】
0006936947.tif 000005
【図５】
0006936947.tif 000006
【図６】
0006936947.tif 000007
【図７】
0006936947.tif 000008